(57)【要約】  本発明は、球技スポーツ用装置であって、ボールのターゲット（ball-target）と、ボールと、後ネットを含み、前記ボールのターゲット（ball-target）は、上部ターゲットと、下部ネットと、スタンドで構成され、前記上部ターゲットの上に、得点を記録する球孔と電子のスコアボード（score board）を設け、前記上部ターゲットの内部に、電子得点記録の線路を設けており、前記ボールは、良好な弾力性と柔らかい強靭性の材料で製造され、その内部には、鉄砂が充填され、前記ボールは、適切な重みがあり、下部ネットと後ネットは、開放立体配置を形成する。競技参加者は、孔にボールを投げ込む（入孔する）と、各競技参加者のスコアにボールのターゲットの電子スコア回路に記録される。【選択図】図１
2010522587.tif 000002
【特許請求の範囲】
【請求項１】
球技スポーツ用装置であって、以下の要素を含む装置；
その特徴は、ボールのターゲット（ball-target）と、ボールと、後ネットを含み、
前記ボールのターゲット（ball-target）(1)は、上部ターゲットと、下部ネット(102)と、スタンド(101)で構成されており、前記スタンドの上端には、上部ターゲットを設け、前記上部ターゲットと前記スタンドとの間に下部ネットを設け、前記上部ターゲットの板の表面には、得点を記録する球孔と電子のスコアボード（score board）を設け、前記上部ターゲットの内部に、電子得点記録の電気配線路を設けており、
前記ボール(3)は、良好な弾力性と柔らかい強靭性をもつ材料で製造されており、その内部には、鉄砂が充填され、その重さは、250グラム〜500グラムとなっており、
前記後ネット(2)は、ネット(202)と後ネットのスタンド(201)で構成されており、そのネット(202)は、スタンド(201)によって支えられ、開放立体配置を形成する。
【請求項２】
前記上部ターゲットは、外枠(105)と、表層(106)と、前板(107)と、ゴム板(111)と後板(112)で構成され、前記表層(106)と前板(107)の表面上には、得点を記録する球孔を設けられ、当該得点を記録する球孔は、ゴムリング(108)、固定リング(109)と折り蓋（110）によって構成されており、ゴム板(111)によって固定されていることを特徴とする請求項１に記載の球技スポーツ用装置。
【請求項３】
前記表層(106)には、電子のスコアボード（score board）が設けられており、前記電子のスコアボード（score board）内には、電子スコア回路が設けられており、それは、前記電子スコア回路及び得点を記録する球孔と対応することを特徴とする請求項２に記載の球技スポーツ用装置。
【請求項４】
前記表層(106)には、ボタン(114)が設けられており、前記ボタンによって、前記電子スコア回路のスイッチを制御することができることを特徴とする請求項３に記載の球技スポーツ用装置。
【請求項５】
前記上部ターゲットの外枠(105)の四つ辺角には、笠 (104)を設けており、当該笠 (104)には、LED灯(103)が設けることを特徴とする請求項１に記載の球技スポーツ用装置。
【請求項６】
前記下部ネット(102)は、後端から上へ延伸して、後板(112)と隣接することを特徴とする請求項１に記載の球技スポーツ用装置。
【請求項７】
前記後板は、電池または電気配線路を外接する電源と連接することを特徴とする請求項２に記載の球技スポーツ用装置。
【発明の詳細な説明】
【技術分野】
【０００１】
本発明は、球技スポーツ用装置に関して、特に、身体を鍛えることを目指す各種の競技活動の中で、より強い娯楽性、スポーツ性と技巧性を持つ競技活動に広範に応用される球技スポーツ用装置の提供に関する。
【背景技術】
【０００２】
現有の競技運動において、"ゴルフ"、"ダーツ"及び"ボーリング"は、人気のあるスポーツである。しかし、"ゴルフ"と"ボーリング"は、技術及びスポーツをする場所について、高い制限があり、しかもコストもより高く、それによって、広く普及させることを制限する。また、"ダーツ"は、競技性と娯楽性が高くない。
【発明の概要】
【発明が解決しようとする課題】
【０００３】
本発明の目的は、創造性を有する新しい球技スポーツ用装置を提供するものであって、当該球技スポーツは、投球することによってボールを孔に入れるスポーツであって、それは、"ダーツ"、"ボーリング"、と"ゴルフ"のようなスポーツの特徴を持っており、さらに、本発明は、"ダーツ"での百発百中というような効果があり、また"ボーリング"と"ゴルフ"のような競技性がある。
【課題を解決するための手段】
【０００４】
本発明は、上記目的を達するために、以下の技術的手段を構成要素とする：
本発明は、球技スポーツ用装置であって、その特徴は、ボールのターゲット（ball-target）と、ボールと、後ネットを含み、
前記ボールのターゲット（ball-target）は、上部ターゲットと、下部ネットと、スタンドで構成され、前記スタンドの上端部には、上部ターゲットを設け、前記上部ターゲットと前記スタンドとの間に下部ネットを設け、前記上部ターゲットの板の表面上に、得点を記録する球孔と電子のスコアボード（score board）を設けており、前記上部ターゲットの内部に、電子得点記録の配線路を設けてある。
【０００５】
前記ボールは、良好な弾力性と柔らかい強靭性の材料で製造され、その内部には、鉄砂が充填され、その重さは、250グラム〜500グラムである。
【０００６】
前記後ネットは、ネットと後ネットのスタンドで構成され、そのネットは、後ネットのスタンドによって支えられ、開放立体配置を形成する。
【０００７】
前記上部ターゲットは、外枠と、表層と、前板と、ゴム板と後板で構成され、前記表層と前板の表面上には、得点を記録する球孔を設け、当該得点を記録する球孔は、ゴムリング、固定リングと折り蓋によって構成され、ゴム板によって固定されている。
【０００８】
前記表層には、電子のスコアボード（score board）を設け、そして、前記電子のスコアボード（score board）内に電子スコア回路を設ける。それは、前記電子スコア回路及び得点を記録する球孔と対応する。
【０００９】
前記表層には、ボタンを設けており、前記ボタンによって、前記電子スコア回路のスイッチを制御することができる。
【００１０】
前記上部ターゲット外枠の四つ辺角には、ランプの笠を設けており、当該ランプの笠には、LED灯を設けてある。
【００１１】
前記下部ネットは、後端から上へ延伸して、後板と隣接する。
【００１２】
前記後板には、電池を設け、或は、電気配線路を外部電源と接続する。
【発明の効果】
【００１３】
本発明は、創造性がある新型の球技スポーツであって、それは、構造が簡単で、設計が独特で、製造コストが比較的低い等の長所を備え、また、"ダーツ"、"ボーリング"と"ゴルフ"の運動特徴を兼ね備える。即ち、"ダーツ"での百発百中の効果があり、また"ボーリング"と"ゴルフ"での優美な姿があり、それによって、本発明は、広範にさまざまな体を鍛えるための競技に応用され、より強い娯楽性、スポーツ性と技巧性を持つことができる。
【図面の簡単な説明】
【００１４】
【図１】図１は、本発明の使用状態を示す図である。
【図２】図２は、本発明に係る後ネットの構造を示す図である。
【図３】図３は、本発明に係るボールのターゲット（ball-target）の構造展開を示す図である。
【発明を実施するための形態】
【００１５】
前記本発明の目的及び本発明の技術的効果を達するために、下記に示した具体的な実施例と添付図面を参照しながら詳細に説明する。
【００１６】
図１を参照して、本発明は、球技スポーツ用装置であって、それは、ボールのターゲット（ball-target）１と、後ネット２と、ボール３で構成されており、前記ボール３は、一つまた二つ以上の良好な弾力性と柔らかい強靭性の材料で製造され、本発明において、材料は好適には真皮を選択する。前記ボール３の内部には、鉄砂あるいは他の詰め物を有しており、その重さは、250グラム〜500グラムであって、二つのクラスを設けて、異なる条件によって球体の重さは所望により調整を行うことができる。
【００１７】
図２を参照して、前記後ネット２は、ネット２０２と後ネットのスタンド２０１で構成され、そのネット２０２は、後ネットのスタンド２０１によって支えられ、開放立体配置を形成する。ここで、後ネットのスタンド２０１は、四部点で構成され、前記後ネットのスタンド２０１の四つの部点は、ホック状の形状を呈しており、それによって、ネット２０２を支える作用を達することができ、後ネットのスタンド２０１の中間において、連接部品２０３によって固定される。かくして、この方式を採用することによって効果的に空間を節約することができ、組み立てが比較的に容易である。
【００１８】
図３を参照して、前記ボールのターゲット（ball-target）１は、上部ターゲットと、下部ネット１０２と、スタンド１０１で構成され、前記スタンド１０１の上端に、上部ターゲットを設け、前記上部ターゲットと前記スタンドと１０１の間に下部ネット１０２を設け、前記上部ターゲットの板の表面上に、得点を記録する球孔と電子のスコアボード（score board）を設け、前記上部ターゲットの内部に、電子得点記録の配線路を設けてある。
【００１９】
前記上部ターゲットは、外枠１０５と、表層１０６と、前板１０７と、ゴム板１１１と後板１１２で構成され、前記表層１０６と前板１０７の表面上には、得点を記録する球孔を設けて、当該得点を記録する球孔は、ゴムリング１０８、固定リング１０９と折り蓋１１０によって構成され、ゴム板１１１によって固定される。前記上部ターゲットは、前記スタンド１０１に固定され、その中、前記表層１０６と前板１０７には、複数の得点を記録する球孔を設けて、異なる得点を記録する球孔は、異なる得点に対応しており、得点を記録する球孔の内側に近ければ、高い得点を取られるが、当該得点を記録する球孔の直径も比較的に小さくなる。当該得点を記録する球孔は、ゴムリング１０８、固定リング１０９と折り蓋１１０で構成され、前記ゴムリング１０８は、前記表層１０６に露出し、後端４は、前記固定リング１０９によって固定され、前記折り蓋１１０は、前記固定リング１０９の後側に固定され、ボールが得点を記録する球孔に投げ入られる場合、前記折り蓋１１０にあたり、パルスの信号を形成して、この信号が電子得点記録の配線路に順次伝えられて、電子指示部によって表示され、同時に、前記電子指示部にあるLED指示灯１１３は、相応する光を出すことができる。
【００２０】
夜間あるいは比較的に暗い環境の下で本装置を便利に使用できるために、外枠１０５の四つ辺角に、LED灯１０３及びLED灯１０３を保護するためのランプの笠１０４を設ける。
【００２１】
また、本装置は、投げ込み方式を採用する球技スポーツであるので、ボールの打撃による装置の損傷をもたらすことを防止するために、前記ランプの笠１０４及び外枠１０５は、アルミニウム合金によって製造され、前記表層１０６は、プラスチックで製造され、前記前板１０７は、板材で製造される。
【００２２】
前記表層１０６と前記前板１０７は、電子のスコアボード（score board）とボタン１１４を設けており、前記電子のスコアボード（score board）は、導線によって、前記後板１１２に設けられている電子得点記録の配線路及び電池または電気配線路を外接する電源と連接しており、前記後板１１２は、ゴム板１１１の後端に設けられており、それによって、十点に本装置の得点記録の回路及び電池が、損傷を受けないように、保護できる。
【００２３】
前記下部ネット１０２は、鋼管と網縄で構成され、その後端は後へ延伸して、前記後板１１２と隣接して、ボールが本装置に投げ入られた場合、ゴム板１１１に沿って下部のネットに入り、ボールを拾い出す必要がなく、たとえボールが当該孔から外れても、後ネットによって、ボールをとめることができる。このような設計の方式を採用して、極めて大きな簡便な楽しみを使用者に提供できる。
【００２４】
前述は、本装置の構造説明で、下記は、本装置の用途及びその使用規則を詳細に説明する。
図１に示すように、本発明は、シングルの試合種目の球技活動であって、使用する場合、まず適当な場所を選んで、後ネットとボールのターゲット（ball-target）を同一のラインに置き、ボールのターゲット（ball-target）を前方に向け、スポーツ選手あるいは競技者は、ボールのターゲット（ball-target）の前方の一定の距離（普通は5メートルあるいは8メートルを選ぶが、具体的な情況は試合の選手の情況による）に立つ。
【００２５】
ここで、ボールのターゲット（ball-target）の中心孔から地面までの垂直高度は、1.80メートルで、ボールのターゲット（ball-target）の全体は、地面と垂直とするべきである。同じ一つの試合で使うボールの大きさは、同一であり、しかも競技参加者と、ボールのターゲット（ball-target）ととの距離も同じであるべきである。
【００２６】
本スポーツ用装置は、人々が体を鍛えることまたは試合をすることに適合する。
【００２７】
下記は、本発明の装置の使用方法を詳細に説明する。（赤、青チーム双方の競技参加者を例にします、ボールは同一のタイプを採用する。）
【００２８】
試合開始 (open ball)前に、まず本装置を電源につないで或いは電池を入れ、そしてスイッチを開けて、本装置を作動状態とさせ、この時、LED得点板の作業を始めて、辺角の灯光がつき、音楽が鳴って、試合を開始することができる。
【００２９】
ボールのターゲット（ball-target）の板の表面上には、１０個の球孔があり、それぞれは、１#孔で、２#孔、３#孔、４#孔、５#孔、６#孔、７#孔、８#孔、９#孔、１０#孔である。
【００３０】
孔の口径は、それぞれ、２００、１９０、１８０、１７０、１６０、１５０、１４０、１３０、１２０、１１０である。（単位はｍｍ）
【００３１】
その相対する各得点は、１点、２点、３点、４点、５点、６点、７点、８点、９点、１０点となる。
【００３２】
競技参加者は、相応する孔にボールを投げ込むと、直ちに相応する点数を得ることができ、ボールを投げ込んでいる時、折り蓋を開けて、投げ込まれた穴は、飾り提灯が輝き、同時にLED得点を記録板は、点数の計算を始める。
【００３３】
LED灯のうち、赤及び青チームを代表するどちらかの表示灯がオンになった時、そのチームが投球を始め、例えば、赤い灯の明かりがついた時、赤い灯を代表する赤いチームが、投球をでき、青い灯の明かりがついた時、青い灯を代表する青いチームが、投球をできる。
【００３４】
試合する時、すべての1ラウンドは10のボールを投げ、時間は5点で、毎回一つのボールしか投げることはできない。
【００３５】
競技参加者は、他の道具類を利用せず、手でボールを投げて、走りながら投げ込みをすることができ、しかし、規定された投げ込み距離を超えることはできない。
【００３６】
赤いチームは、規定された10個のボールを所定した人員が投げた後、投げ込んだボールを拾って次の投球方に渡し、そして、青いチームが、投球を始める。
【００３７】
競技選手は、投球の過程の中において両足が同時に地面から離れることを厳禁され、両足同時に地面から離れた場合、反則となって、このボールに対応する点数を計算されない。
【００３８】
競技選手は、毎ラウンドの投球過程中で、両足はいかなる方式でも投球線を踏んではならず又投球線を踏み越えてはならない。もし投球線を踏んだ場合は、このボールは点数を計算されず、再び投げることもできない。もし投球線を越えたならば、このラウンドで未だ投げていないボールは、棄権球とみなされるため、更に投げることはできない。投げ込んだ有効なボールによる点数だけを記録する。
【００３９】
ピッチング動作："上手投げ"と"下手投げ"という二つの動作を使用することを規定して、他の方式を採用すれば、反則とみなされるため、違反者は、投げたボールの得点が無効なことが判定される。
【００４０】
投手は、ボールを手に持って、審判員が、試合開始を宣言すると、いずれかの方式で投球され、ボールが手から離れたならば、既に投げたことになり、再びこのボールを投げることはできない。
【００４１】
本発明に関る投球の競技規則は、下記の如く：
１．順序入孔（１#孔から始めて、順番に二つ以上を連続して入れる場合、順序入孔となる）
１#孔、２#孔、３#孔、４#孔、５#孔、６#孔、７#孔、８#孔、９#孔、１０#孔に、順番に投球したボールが全て入孔するならば、得点はそれぞれ1点、4点、6点、8点、10点、12点、14点、16点、18点、20点、つまり1#孔の他の孔は倍に増加する。
例１、
１#孔、２#孔、３#孔、４#孔、５#孔、６#孔、７#孔、８#孔、９#孔、１０#孔に、順番に投球したボールが全て入孔するならば、得点は1＋4＋6＋8＋10＋12＋14＋16＋18＋20＝１０９となって、即ち、試合の最高得点は、109点となる。１#孔、２#孔、３#孔、４#孔、５#孔、６#孔、７#孔、８#孔、９#孔、１０#孔に、順番に投球したボールが、途中でいずれか１つの孔に入孔できなかったならば、その後のボールを入れた得点は、非順序入孔の規則で計算する。
例２、
１#孔、２#孔、３#孔、４#孔に、順番に投球したボールが、全部入孔したが、５#孔には入孔せず、６#孔、７#孔、８#孔、９#孔、１０#孔に、順番に投球したボールが、全部入孔した場合、１#孔、２#孔、３#孔、４#孔の得点は、順序入孔の規則で計算し、つまり１＋４＋６＋８＝１９点となり、５#孔に入孔していないため、得点がなく、６#孔、７#孔、８#孔、９#孔、１０#孔の得点は、非順序入孔の規則で計算して、つまり、６＋７＋８＋９＋１０＝４０点となって、即ち、総得点は、１９＋４０＝５９点となる。注意：順序入孔の規則では、必ず１#孔から始めねばならず、順序入孔を二つ以上連続して、もし１#孔に投入しなければ、たとえ後ほどのボールが順番に入孔されても、それは、順序入孔の規則で計算できない。
例３、
１#孔に入孔しなければ、２#孔、３#孔、４#孔、５#孔、６#孔、７#孔、８#孔、９#孔、１０#孔に、順番に投球したボールが、全部入孔しても、全部の得点は、順序入孔の規則で計算できない。つまり、総得点は、２＋３＋４＋５＋６＋７＋８＋９＋１０＝５４点となる。順序入孔の最高得点は、１０９点となる。非順序入孔の最低得点は、５点となる。
【００４２】
２．非順序入孔（ボールが非順序で入孔する）
非順序で入孔した場合、得点は、入孔した孔に対応する点数を計算する。つまり、非順序入孔規則の得点は、対応する点数の孔によって直接に当該点数を計算する。
例１、
全部で10個ボールがあって、２#孔、３#孔、４#孔に投入しており、他の七の孔には入孔がない場合、その得点は、２＋３＋４＝９点となる。非順序入孔の最高得点は、２＋３＋４＋５＋６＋７＋８＋９＋１０＋１＝５５点となる。非順序入孔の最低得点は、０点となる。（全部10個ボールが孔に投入していない）
【００４３】
３．同孔連投
二つまたは二つ以上のボールが同一の孔に入孔したならば、点数の計算は、該当する孔の点数と入孔数をかけて累計を行う。
例１、
八つのボールが９#孔に投入するならば、その得点は、８＊９＝７２点となる。同孔連投の最高得点は、１００点となる。（全部10個ボールが１０#孔に投入する）同孔連投の最低得点は、２点となる。（二つのボールが１#孔に投入して、他のボールが投入していない）
【００４４】
本装置の試合は、１チームの投球時間は、5分で、表示板によって、３００秒のカウントダウンを行い、所定の時間内で全部のボールを投げ込み、点数を入孔に対応して得点計算しており、多い得点を取るチームが勝ち、同点の場合は、勝敗がなく、もし勝敗を決定しなければならないならば、延長試合をプラスして勝敗を決定する。
【００４５】
この球技は、文明、高尚・上品であって、健康、ファッション的な運動とレジャーを提供する。交流、友誼を結ぶ方式で、近代都市の速いリズムの影響でまた仕事に緊張している人々の健康生活に対する需要に適合しており、このような運動は、年齢、性別の制限を受けないで、学びやすい、試合中は他者との対抗を必要とせず、室内において多人数で行ってよく、老若男女の誰でも全て楽しめる新興の運動である。
【００４６】
本装置の使用者は、人の注意力、協調性、精巧さ性を訓練することを目指し、特に心理の素質、娯楽性、興味性、スポーツ性と技巧性を持って、筋骨を鍛錬することができるだけではなく、疲労を取り除き、人々の体の調和の能力を強め、さらに心理の素質を高めることと人の意志を鍛えることが可能である。
【符号の説明】
【００４７】
１      ボールのターゲット（ball-target）
１０１  スタンド
１０２  下部ネット
１０３  LED灯
１０４  ランプの笠
１０５  外枠
１０６  表層
１０７  前板
１０８  ゴムリング
１０９  固定リング
１１０  折り蓋
１１１  ゴム板
１１２  後板
１１３  LED指示灯
１１４  ボタン
２      後ネット
３      ボール
【図１】
2010522587.tif 000003
【図２】
2010522587.tif 000004
【図３】
2010522587.tif 000005
【国際調査報告】
2010522587.tif 000006
2010522587.tif 000007
2010522587.tif 000008
2010522587.tif 000009
2010522587.tif 000010
2010522587.tif 000011